(57)【要約】【課題】  電磁波に対するシールドと反射光乃至入射光の防止効果とを、透過可視の条件のもとで安価に得られる電磁波遮断レンズおよびそれを使用した電磁波遮断眼鏡を提供する。【解決手段】  眼鏡レンズの表面、裏面または層状合成境界面部に直接、または該眼鏡レンズに添付またはラミネートする無色または有色の透明フィルムシート状部材に、連続形成した等辺多角形で、線幅ｔを５〜１００μｍ、厚さｈを０．１μｍ以上５μｍ未満、最少線間距離（内接円直径φ）を０．０１〜０．５０ｍｍ、且つ、内接円直径φと線幅ｔの比Ａを１〜３０とした輪郭線分、または導電性金属による、または導電性粉末乃至磁性粉体を含む、厚さｈが０．１μｍ以上５μｍ未満の画像または模様を設けた電磁波遮断レンズおよびそれを使用した電磁波遮断眼鏡。【選択図】        図１
2005031545.tif 000002
【特許請求の範囲】
【請求項１】
眼鏡レンズの表面、裏面または層状合成境界面部に、連続形成した等辺多角形の輪郭線分として、導電性金属による、または導電性粉末乃至磁性粉体を含む、線分を、線幅ｔを５〜１００μｍ、厚さｈを０．１μｍ〜１００μｍ、最少線間距離（内接円直径φ）を０．０１〜０．５０ｍｍ、且つ、内接円直径φと線幅ｔの比Ａを１〜３０として設けたことを特徴とする電磁波遮断レンズ。
【請求項２】
眼鏡レンズの表面、裏面または層状合成境界面部に直接、または該眼鏡レンズに添付またはラミネートする無色または有色の透明フィルムシート状部材に、連続形成した等辺多角形の輪郭線分として、導電性金属による、または導電性粉末乃至磁性粉体を含む、線分を、線幅ｔを５〜１００μｍ、厚さｈを０．１μｍ以上５μｍ未満、最少線間距離（内接円直径φ）を０．０１〜０．５０ｍｍ、且つ、内接円直径φと線幅ｔの比Ａを１〜３０として設けたことを特徴とする電磁波遮断レンズ。
【請求項３】
眼鏡レンズの表面、裏面または層状合成境界面部に直接、または該眼鏡レンズに添付またはラミネートする無色または有色の透明フィルムシート状部材に、導電性金属による、または導電性粉末乃至磁性粉体を含む、厚さｈが０．１μｍ以上５μｍ未満の画像または模様を設けたことを特徴とする電磁波遮断レンズ。
【請求項４】
平面プレート状の眼鏡レンズ素材の平滑な表面、裏面または層状合成境界面部に直接、または該眼鏡レンズ素材に添付またはラミネートする無色または有色の透明フィルムシート状部材に、導電性金属による、または導電性粉末乃至磁性粉体を含む、厚さｈが０．１μｍ以上１００μｍ未満の線分、画像または模様を設け、その後加熱処理により眼鏡レンズ曲面に形成されたことを特徴とする電磁波遮断レンズ。
【請求項５】
前記輪郭線分、画像または模様が、二等辺三角形、正三角形、等辺四角形、正方形、等辺六角形または正六角形のいずれか１より選ばれたものであることを特徴とする請求項１乃至４のいずれか１項に記載の電磁波遮断レンズ。
【請求項６】
前記画像または模様が、多数の点の集合によるものであることを特徴とする請求項３または４に記載の電磁波遮断レンズ。
【請求項７】
前記導電性金属または導電性粉末が、少なくとも、Ｃｕ、Ｔｉ、Ｆｅ、Ｎｉ、Ｍｇ、Ｐｄ、Ａｕ、Ａｇ、Ｃまたはそれらの各合金のうちの１種を含むものであることを特徴とする請求項１乃至６のいずれか１項に記載の電磁波遮断レンズ。
【請求項８】
前記導電性粉末乃至磁性粉体の粒度が０．００５〜１００μｍであることを特徴とする請求項１乃至７のいずれか１項に記載の電磁波遮断レンズ。
【請求項９】
前記請求項１乃至８のいずれか１項に記載の電磁波遮断レンズを使用したことを特徴とする電磁波遮断眼鏡。
【請求項１０】
前記請求項１乃至８のいずれか１項に記載の電磁波遮断レンズを使用し、さらに電磁波遮断処置を施されたレンズ以外の眼鏡構成部材を組み合わせたことを特徴とする電磁波遮断眼鏡。
【発明の詳細な説明】
【技術分野】
【０００１】
本発明は、電磁波遮断眼鏡レンズおよびそれを使用した電磁波遮断眼鏡に関するものである。
【背景技術】
【０００２】
最近、各種の電磁波発生源から伝幡される電磁波の問題、特に電子機器類から発せられる電磁波による各種の不具合は、電子機器類同士の誤動作発生などのトラブルの他に、人体への影響は深刻な問題を提起している。このため色々な手段によりこれを防止することが行われている。（例えば、特許文献１参照）
特に、携帯電話やパソコンなどの普及と共に、これを使用する人たちの眼に対する電磁波の影響は、白内障の多発生の傾向も伺われるなど問題を提起している。
【０００３】
電磁波発生源側、例えば携帯電話やパソコン側における積極的対策も勿論各種行われているが、使用者サイドの防止対策としては、現在殆ど対策されていないと言っても過言でない。
特に、ほとんど無防備といって良いほど眼への対策については対策されていない。その理由の１には、電磁波対策のための手段が、ものを透過可視するという機能とは概ね相反することであるところにあり、この両者を満足するための対策がのぞまれている。
【０００４】
【特許文献１】特開平１０−２７６８１７号公報（コラム６、４０〜４４行）
【発明の開示】
【発明が解決しようとする課題】
【０００５】
前述のごとく、パソコン、携帯電話などの電子画像表示装置としてのディスプレー画面は、前記のごとく漏れ電磁波や写り込みに対して色々の手段がとられてきてはいるが、これらの手段では必ずしも十分とは言えない。
従って、使用者サイドにおいても、電磁波を遮断するべき対策、特に使用時間の長期化と相俟って生じる視覚障害に対して、十分に透過可視可能で、且つ電磁波のシールドおよび、反射光乃至入射光の防止効果のある、しかも安価な眼鏡レンズ乃至眼鏡が強く要求されている。
【０００６】
本発明は、これらに鑑み、電磁波に対するシールドと反射光乃至入射光の防止効果とを、透過可視の条件のもとで安価に得られる電磁波遮断レンズおよびそれを使用した電磁波遮断眼鏡を提供することをその目的としている。
【課題を解決するための手段】
【０００７】
本発明の電磁波遮断レンズは、以下の構成よりなるものである。
１）眼鏡レンズの表面、裏面または層状合成境界面部に、連続形成した等辺多角形の輪郭線分として、導電性金属による、または導電性粉末乃至磁性粉体を含む、線分を、線幅ｔを５〜１００μｍ、厚さｈを０．１μｍ〜１００μｍ、最少線間距離（内接円直径φ）を０．０１〜０．５０ｍｍ、且つ、内接円直径φと線幅ｔの比Ａを１〜３０として設けたものである。
【０００８】
２）眼鏡レンズの表面、裏面または層状合成境界面部に直接、または該眼鏡レンズに添付またはラミネートする無色または有色の透明フィルムシート状部材に、連続形成した等辺多角形の輪郭線分として、導電性金属による、または導電性粉末乃至磁性粉体を含む、線分を、線幅ｔを５〜１００μｍ、厚さｈを０．１μｍ以上５μｍ未満、最少線間距離（内接円直径φ）を０．０１〜０．５０ｍｍ、且つ、内接円直径φと線幅ｔの比Ａを１〜３０として設けたものである。
【０００９】
３）眼鏡レンズの表面、裏面または層状合成境界面部に直接、または該眼鏡レンズに添付またはラミネートする無色または有色の透明フィルムシート状部材に、導電性金属による、または導電性粉末乃至磁性粉体を含む、厚さｈが０．１μｍ以上５μｍ未満の画像または模様を設けたものである。
【００１０】
４）平面プレート状の眼鏡レンズ素材の平滑な表面、裏面または層状合成境界面部に直接、または該眼鏡レンズ素材に添付またはラミネートする無色または有色の透明フィルムシート状部材に、導電性金属による、または導電性粉末乃至磁性粉体を含む、厚さｈが０．１μｍ以上１００μｍ未満の線分、画像または模様を設け、その後加熱処理により眼鏡レンズ曲面に形成されたものである。
【００１１】
５）上述１）〜４）において、前記輪郭線分、画像または模様が、二等辺三角形、正三角形、等辺四角形、正方形、等辺六角形または正六角形のいずれか１より選ばれたものであり、
６）上述３）または４）における前記画像または模様が、多数の点の集合によるものであり、
７）上述１）〜６）における前記導電性金属または導電性粉末が、少なくとも、Ｃｕ、Ｔｉ、Ｆｅ、Ｎｉ、Ｍｇ、Ｐｄ、Ａｕ、Ａｇ、Ｃまたはそれらの各合金のうちの１種を含むものであり、
８）上述１）〜６）における前記導電性粉末乃至磁性粉体の粒度を０．００５〜１００μｍとしたものである。
【００１２】
また、本発明の電磁波遮断眼鏡は、下記の構成よりなる。
９）上述１）〜８）のいずれかの電磁波遮断レンズを使用したことを特徴とするものであり、
１０）上述１）〜８）のいずれかに記載の電磁波遮断レンズを使用し、さらに電磁波遮断処置を施されたレンズ以外の眼鏡構成部材を組み合わせたものである。
【００１３】
すなわち、本願発明の電磁波遮断レンズは、極細導電性金属メッシュ、または導電性粉末乃至磁性粉体を含む極細線乃至微細な画像または模様を印刷またはメッキすることにより、外来電磁波を遮断し眼を電磁波より守ろうとするものである。上述の如く、眼鏡のレンズにあっては、電磁波を遮断するばかりでは不十分であり、眼鏡としての本来の作用である透過可視条件である必要がある。
また、サングラスのような場合には可視状態で光を或程度遮断することが必要であり、この場合電磁波を遮断対策と相俟って、可視作用ばかりでなく有色レンズ乃至入射光を防止する手段を施されたレンズとすることが必要である。
【００１４】
また、電磁波遮断レンズに、電磁波遮断処置を施されたレンズ以外の眼鏡構成部材、すなわちいわゆる山、リム、テンプル、わたり、よろい等を組み合わせることによりより効果的な電磁波遮断効果を期待することができる。
【００１５】
近年、導電性粉末乃至磁性粉体の粒度については、その製造技術の向上により、いわゆるナノメータオーダの粉体が得られるようになり、それに伴い線幅および線乃至画像、模様の厚さを、より小さいものを作成することが可能となった。ただ、粉体の粒度が０．００５μｍを下回るとその取り扱いが凝着効果などで極めて困難になるばかりか、粉体コストが極端にアップするため、実用上０．００５μｍを下限限界とした。また１００μｍを越すと、それに伴って線幅の限界値が上がり、透過可視に難を生じるため実用上１００μｍを上限とした。
また、上述の粉体の微細化により、線乃至画像、模様の厚さをより小さくすることができ、厚さｈの下限を０．１μｍとすることにより、より極細線の作成が容易となった。
【００１６】
眼鏡レンズの透過可視の度合いと密接な関係をもつマンセル色相環における明度（見掛明度）に対して、前記線幅ｔは見掛明度への影響が大きく、線幅が５μｍ以上であれば、内接円直径φが１０μｍ（Ａ＝１）でも見掛明度比が５０程度で良好なシールド効果が認められ。また、線幅が５μｍでは内接円直径φが大きくなり２００μｍ（Ａ＝２０）で、見掛明度比１００となりシールド効果が認められなくなる。しかし、線幅ｔが１００μｍで内接円直径φが４００μｍ（Ａ＝４）以下であれば見掛明度比１００以下となりシールド効果が認められる。また、線幅ｔが１００μｍのものでは、内接円直径φが５０μｍ（Ａ＝０．５）以下では暗視野状態に近くなる。
【００１７】
線幅ｔが５０μｍのものでは、内接円直径φが５０μｍ（Ａ＝１）で暗視野に近い。また、内接円直径φが１００μｍ（Ａ＝２）と３００μｍ（Ａ＝６）の領域では良好なシールド効果を得ることができる。内接円直径φが４００μｍを超えた領域ではいずれの線幅でも見掛明度のシールド効果を期待することはできない。線状の色相がダーク側に振れると見掛明度比は低くなる。
内接円直径φと線幅ｔとの比Ａ（Ａ＝φ／ｔ）は、１乃至１０、好ましくは２乃至５程度がより望ましい。但し、色相環における明度が３以下であるインキの場合では、１０〜３０とすることにより、見掛明度比良好となることがわかった。なお、線幅ｔは、５乃至１００μｍ、好ましくは５乃至７０μｍが望ましい。
【００１８】
なお、色相環における明度が３以下の黒色または暗色の領域においては、ほとんどの色相において線幅ｔは５〜３０μｍ、内接円直径φと線幅ｔの比Ａは１０〜３０程度でないと概ね暗視野となり透過可視性を必要とする眼鏡レンズとしての目的を達せられない
実質的に透過可視性と光に対するシールド効果の観点から、線幅ｔと内接円直径φの条件は、その相乗作用により、また線状の色相を考慮し見掛明度比１０〜９０の範囲になるように選ばれることが必要である。
【００１９】
内接円直径φを１０〜５００μｍ、線幅ｔを５〜１００μｍに変化させた試料により透過磁界強度比を比較測定した結果によれば、上述の見掛明度と同じように内接円直径φおよび線幅ｔは、アベレージとしての電磁波に対するシールド効果に密接に関係する。
なお、内接円直径φが５００μｍ以上では、シールド効果はほとんど認められない。また、線幅ｔが１００μｍと大きいものでは、内接円直径φの減少と共に急激に電磁波シールド効果は向上する。
実質的に透過磁界強度比は、眼の保全の観点から８０以下になることが望ましく、これを満足するように線幅ｔと内接円直径φの条件は選択される。
【００２０】
総合的に、見掛明度、透過磁界強度の両者に対するシールド効果は、選択の上限は透過磁界強度比（８０以下）、下限は見掛明度比（１０以上）により、その各要素の条件範囲を選択されることが望ましい。
【発明の効果】
【００２１】
本発明は、
１）眼鏡レンズの表面、裏面または層状合成境界面部に、連続形成した等辺多角形の輪郭線分として、導電性金属による、または導電性粉末乃至磁性粉体を含む、線分を、線幅ｔを５〜１００μｍ、厚さｈを０．１μｍ〜１００μｍまたは０．１μｍ以上５μｍ未満、最少線間距離（内接円直径φ）を０．０１〜０．５０ｍｍ、且つ、内接円直径φと線幅ｔの比Ａを１〜３０として設けることにより、透過可視可能で、且つ電磁波遮断および反射光防止効果のある、眼鏡レンズを提供することができる。
【００２２】
２）眼鏡レンズの表面、裏面または層状合成境界面部に直接、または該眼鏡レンズに添付またはラミネートする透明フィルムシート状部材に、導電性金属による、または導電性粉末乃至磁性粉体を含む、厚さｈが０．１μｍ以上５μｍ未満の画像または模様を設けたことにより、透過可視可能で、電磁波遮断および反射光防止効果があり、且つ、ファッション性を付与することが可能な眼鏡レンズを提供することができる。
【００２３】
３）平面プレート状の眼鏡レンズ素材の平滑な表面、裏面または層状合成境界面部に直接、または該眼鏡レンズ素材に添付またはラミネートする無色または有色の透明フィルムシート状部材に、導電性金属による、または導電性粉末乃至磁性粉体を含む、厚さｈが０．１μｍ以上１００μｍ未満の線分、画像または模様を設け、その後加熱処理により眼鏡レンズ曲面に形成することにより、より効率的、経済的に電磁波遮断レンズを提供することができる。
【００２４】
４）上述１）〜３）における、前記輪郭線分、画像または模様を二等辺三角形、正三角形、等辺四角形、正方形、等辺六角形または正六角形のいずれか１より選ばれたものとすることにより、
５）上述２）、３）における、前記画像または模様を、多数の点の集合によるものとすることにより、
６）上述の１）〜５）における導電性金属または導電性粉末を、少なくとも、Ｃｕ、Ｔｉ、Ｆｅ、Ｎｉ、Ｍｇ、Ｐｄ、Ａｕ、Ａｇ、Ｃまたはそれらの各合金のうちの１種を含むものとしたことにより、
７）上述１）〜６）における導電性粉末乃至磁性粉体の粒度を０．００５〜１００μｍとすることにより、より具体的に透過可視可能で、電磁波遮断および反射光防止効果があり、且つ、ファッション性を付与することが可能な眼鏡レンズを提供することができる。
【００２５】
さらに、本願発明は、
８）上述１）〜７）における電磁波遮断レンズを使用した電磁波遮断眼鏡により、
９）さらに磁波遮断レンズに、電磁波遮断処置を施されたレンズ以外の眼鏡構成部材を組み合わせた電磁波遮断眼鏡により、電磁波雰囲気により引き起こされる白内障などの眼の疾患を防止することができる。
【発明を実施するための最良の形態】
【００２６】
本願発明の眼鏡レンズの表面、裏面または層状合成境界面部分に直接、または透明フィルムシート状部材を介して、導電性金属、または導電性粉末乃至磁性粉体を含む極細線乃至微細な画像または模様を印刷またはメッキすることにより、さらには極細導電性金属メッシュを層状合成境界面部分にラミネートすることにより外来電磁波を遮断するものである。
【実施例１】
【００２７】
図１は、本発明の電磁波遮断レンズを有する電磁波遮断眼鏡の１実施例を示す説明図である。
図２は、本実施例１の電磁波遮断レンズの表面拡大説明図である。
図において、１は電磁波遮断眼鏡、２は電磁波遮断眼鏡レンズ、２１はレンズ面、３はレンズ以外眼鏡構成部材、４電磁波遮断線分である。
【００２８】
本実施例１においては、電磁波遮断眼鏡１に嵌め込まれた磁波遮断眼鏡レンズ２のレンズ面２１上に等辺四角形（菱形）の電磁波遮断線分４が印刷されている。
該等辺四角形の線分の線幅ｔは約１０μｍ、線厚ｈは約２μｍ、等辺四角形の内接円の直径φは約２００μｍである。印刷インキに平均粒度約０．０２μｍのＰｄ微粉体を約５０％混合し、パッド印刷法により印刷し、さらにＣｕメッキした。（実色相は５ＰＢ５／１０相当）
【００２９】
本実施例１の眼鏡レンズにより、処理無しのものと比較試験をした結果、見掛明度比は約８０％を維持し、また、ＫＥＣ法で４０ｄｂとなり電磁波遮断的のも概ね満足し得る結果を得た。
【実施例２】
【００３０】
図３は、本実施例２の電磁波遮断レンズの断面拡大説明図である。
図において、２２は層状合成表層、２３は層状合成裏層、４１は電磁波遮断線分である。本実施例では、眼鏡レンズを予め  層状合成表層２２と層状合成裏層２３とに分割しておき、該層状合成裏層２３の層状合成表層２２と対面する表面に実施例１と同一仕様の電磁波遮断線分４１を印刷し、十分乾燥後層状合成表層２２を接合した。
なお、電磁波遮断線分４１は極細導電性金属メッシュを接着することにより構成することもできる。また、フィルムシート状の電磁波遮断線分４１をフォット・ッチング方式や印刷方式により作成しラミネートする場合、または電磁波遮断処理された平面プレート状の眼鏡素材を加熱処理することにより眼鏡レンズとしての曲面を構成することもできる。
【００３１】
本実施例２の眼鏡レンズにより、処理無しのものと比較試験をした結果は、前記実施例１の結果とほぼ同一の効果を確認することができた。
【実施例３】
【００３２】
図４は、本実施例３の電磁波遮断レンズの表面拡大説明図である。
図において、２１はレンズ面、４２は導電性粉末乃至磁性粉体を含む印刷インキにより連続印刷された画像である。
本実施例では、電磁波遮断レンズに更にサングラスとしての機能を付与仕様とするものであり、電磁波遮断のための被膜を実色相５ＰＢ５／１０相当の色彩とし、連続模様のサイズを上下左右方向共約２０μｍ、厚さは約２μｍ、画像間隔は約１００μｍとした。
【００３３】
本実施例３の眼鏡レンズにより、処理無しのものと比較試験をした結果は、前記透過磁界強度比は約９０％を越え、且つ通常のサングラスとしての光遮断効果を十分発揮するものであることが確認された。ただ、視野には多少難が生じた。
【実施例４】
【００３４】
図５および図６は、線幅ｔと、連続線分間の距離すなわち内接円直径φを変化した試料による、透過磁界強度比および見掛け明度比を比較試験した結果を示す図である。
試料は、眼鏡レンズ（０度）に線幅ｔを５、５０および１００μｍ（線厚ｈは５μｍ）、内接円直径φを１０、５０、１００、２００、３００および４００μｍとして、連続する正六角形の輪郭線分をＰｄ微粉末（平均粒度約０．０２μｍ）を５０％含有したＵＶ乾燥型インキ（実色相５ＰＢ５／１０相当）によりオフセット印刷し、さらにＣｕメッキをした。なお、Ｃｕメッキは、Ｎｉ、Ａｇ、Ａｕ、Ｐｄなどのメッキにすることもできる。
【００３５】
比較試験の結果、電磁波遮断効果としては透過磁界強度比５０以下を目途として、内接円直径φは３００μｍ以下でないと効果が望めない。また内接円直径φが小さい範囲では、線幅ｔが大きくなると電磁波遮断効果は急激に向上するが、見掛け明度が極端に低下し眼鏡レンズとして使用できない。この両者のリーゾナブルな範囲として、線幅ｔが５〜１００μｍにおいては、内接円直径φと線幅ｔとの比Ａは、１乃至３０であることが望ましいことがわかった。
【００３６】
なお、前記実施例１〜４においては、本願発明の極めて限定された範囲内での各実施例を示すものであり、特許請求の範囲内における条件、組み合わせであれば、本願発明はこれらを排除するものではない。
【産業上の利用可能性】
【００３７】
本願発明の電磁波遮断眼鏡レンズは、その透過可視性および電磁波遮断性の両効果を併せ持つものであり、この目的に合うものであれば、電磁波発生源を有する物体の観測器、携帯電話器やパソコンの電子画像表示装置などに使用することができる。
【図面の簡単な説明】
【００３８】
【図１】本願発明の電磁波遮断眼鏡の１実施例を示す説明図である。
【図２】本願発明の実施例１の電磁波遮断レンズの表面拡大説明図である。
【図３】本願発明の実施例２の電磁波遮断レンズの断面拡大説明図である。
【図４】本願発明の実施例３の電磁波遮断レンズの表面拡大説明図である。
【図５】線幅ｔと、連続線分間の距離すなわち内接円直径φを変化した試料による、透過磁界強度比を比較試験した結果を示す図である。
【図６】線幅ｔと、連続線分間の距離すなわち内接円直径φを変化した試料による、見掛け明度比を比較試験した結果を示す図である。
【符号の説明】
【００３９】
１：電磁波遮断眼鏡
２：電磁波遮断眼鏡レンズ
２１：レンズ面
３：レンズ以外眼鏡構成部材
４：電磁波遮断線分
２２：層状合成表層
２３：層状合成裏層
４１：電磁波遮断線分
４２：導電性粉末乃至磁性粉体を含む印刷インキにより連続印刷された画像。
【図１】
2005031545.tif 000003
【図２】
2005031545.tif 000004
【図３】
2005031545.tif 000005
【図４】
2005031545.tif 000006
【図５】
2005031545.tif 000007
【図６】
2005031545.tif 000008